(57)【要約】 【課題】比較的簡易又は簡単な作業で迅速に先行手摺の手摺枠に取付け又は取外し可能な後付け式の先行手摺用Ｌ型幅木を提供する。 【解決手段】Ｌ型幅木(10)は、幅木本体(11)の各端部を手摺枠(1)の鉛直支柱部分(2a)に上下動可能に係留する係留具(60)を有する。係留具は、Ｌ型幅木の面内(X)方向の水平変位を拘束するとともに、面外方向のＬ型幅木の水平変位を拘束する。手摺枠の位置決め具(8)は、幅木本体の両端下縁部分(20)を支承し、Ｌ型幅木の鉛直荷重を少なくとも部分的に支持する。Ｌ型幅木は、補剛材(6)の手摺子部分(6a)に係止する係止具(50)を更に有し、係止具は、手摺子部分の外周面に当接し、Ｌ型幅木の面内方向及び面外方向の水平変位を拘束する。【選択図】図２
2020190111.tif 000002
【特許請求の範囲】
【請求項１】
仮設足場の先行手摺を構成する外枠と、仮設足場の梁間方向又は腕木方向の横架材に係止する位置決め具と、前記外枠を仮設足場の支柱部分又は脚柱部分に一体的に連結する固定具とを有する手摺枠に取付けられ、仮設足場の幅木を形成するとともに、仮設床材の側縁に沿って形成される隙間帯域を閉塞するＬ型幅木であって、
前記手摺枠の構面に沿って仮設床材の床面と実質的に同等のレベルに配置される鉛直平板状の幅木本体と、該幅木本体の下縁部分に連接し、該下縁部分から前記仮設床材の側に延びる隙間閉塞板部分とを有するＬ型幅木において、
前記手摺枠の構面と平行なＬ型幅木の水平変位と、該構面の面外方向におけるＬ型幅木の水平変位とを拘束する一方、Ｌ型幅木の鉛直方向の変位を実質的に許容した状態で前記幅木本体を前記外枠の左右の鉛直支柱部分に係留する係留具と、
前記位置決め具に着座してＬ型幅木の鉛直荷重を少なくとも部分的に該位置決め具に伝達する前記幅木本体の下縁部分とを有し、
前記Ｌ型幅木の鉛直荷重を少なくとも部分的に前記位置決め具によって支持するようにしたことを特徴とするＬ型幅木。
【請求項２】
前記手摺枠の中間部に配置された補剛材の手摺子部分に係止する係止具を更に有し、該係止具は、前記構面と平行なＬ型幅木の水平変位を拘束するとともに、該構面の面外方向のＬ型幅木の水平変位を拘束するように、前記手摺子部分の外面に当接することを特徴とする請求項１に記載のＬ型幅木。
【請求項３】
前記係留具は、前記鉛直支柱部分を上下方向に貫通せしめる被囲繞空間(S)を形成し、該被囲繞空間は、前記構面の面外方向において前記鉛直支柱部分の直径と実質的に同じ寸法(T)を有し、該構面と平行且つ水平方向において前記鉛直支柱部分の直径の１．３倍以上の寸法(W)を有することを特徴とする請求項１又は２に記載のＬ型幅木。
【請求項４】
前記幅木本体は、前記幅木本体の下端縁に沿って延びる円形断面の溝を有し、前記隙間閉塞板部分は、該溝内に回転可能に収容された軸部を有し、該軸部は、前記溝と同心状の円形断面を有し、実質的に前記隙間閉塞板部分の全長に亘って延び、前記軸部は、前記溝の開口部分を介して前記隙間閉塞板部分の基端部に一体的に連結しており、該軸部は、前記溝の中心軸線廻りに該溝内で回転し、前記構面に沿って起立する格納位置に前記隙間閉塞板部分を変位させることを特徴とする請求項１乃至３のいずれか１項に記載のＬ型幅木。
【請求項５】
前記係留具は、前記幅木本体の開口部に延入して該幅木本体に係止する屈曲片又は舌状片と、連結具又は留め具によって前記幅木本体に固定される固定部と、前記屈曲片又は舌状片と前記固定部との間に延在し、前記被囲繞空間を画成する囲繞部と有することを特徴とする請求項３に記載のＬ型幅木。
【発明の詳細な説明】
【技術分野】
【０００１】
本発明は、先行手摺のＬ型幅木に関するものであり、より詳細には、比較的簡易又は簡単な作業で迅速に手摺枠に取付け又は取外し可能な後付け式の先行手摺用Ｌ型幅木に関するものである。
【背景技術】
【０００２】
建築物、土木構造物、プラント設備等の建設工事に使用される仮設足場として、枠組足場、単管足場、楔結合式足場等の各種形式の仮設足場が日本国内において広く普及している(非特許文献１）。仮設足場の組立て又は建込み工程に関し、手摺（手すり）先行工法が知られており、この工法を採用した仮設足場の組立て又は建込み作業に関し、主として墜落災害の防止を意図した仮設資材又は仮設機材として、先行手摺形成用の手摺枠（以下、単に「手摺枠」という。）が知られている(非特許文献２）。
【０００３】
一般に、枠組足場用の手摺枠は、間隔を隔てて配置された建枠の間に配置され、建枠の横架材及び脚柱に支持又は支承される（特許文献１）。この種の手摺枠において、Ｌ型幅木を備えた構成のものが知られている（特許文献２）。Ｌ型巾木は、手摺枠の構面に沿って布方向に延びる幅木本体と、幅木本体の下端部から概ね水平に延びる隙間閉塞板部分とを有する。床付き布枠等の仮設床材と手摺枠との間には、仮設床材の側縁に沿って布方向又は桁方向の隙間帯域が形成されるが、隙間閉塞板部分は、工具の落下等を防止すべく、この隙間帯域を閉塞する。
【先行技術文献】
【特許文献】
【０００４】
【特許文献１】特開平８−１８４１７７号公報
【特許文献２】特開２０１０−１９６４０３号公報
【非特許文献】
【０００５】
【非特許文献１】建築工事標準仕様書・同解説、ＪＡＳＳ２、仮設工事（社団法人日本建築学会発行）
【非特許文献２】仮設工事認定基準とその解説、第８版（一般社団法人仮設工業会発行）
【発明の概要】
【発明が解決しようとする課題】
【０００６】
しかしながら、Ｌ型巾木の隙間閉塞板部分には、作業者の体重等の鉛直荷重が作用し得ることから、Ｌ型幅木は、鉛直荷重による鉛直撓みを抑制すべく、その両端部及び中間部を溶接等の固着手段により手摺枠の縦材又は鉛直部材に強固又は堅固に剛接合した構造を一般に有する。これに対し、ボルト、螺子部材等の締付け具を含む取付け具によってＬ型幅木の両端部及び中間部を手摺枠の縦材又は鉛直部材に取付けた構造を有し、Ｌ型幅木の着脱を前提とした手摺枠も知られている。しかし、このような構成の手摺枠においても又、鉛直荷重を含むＬ型幅木の全負荷を取付け具で負担すべく、頑丈且つ重厚な構造の取付け具によってＬ型幅木を手摺枠の縦材又は鉛直部材に剛接合する構成が採用されているので、Ｌ型幅木を既存の手摺枠に取付け、或いは、手摺枠から取り外すといった任意の着脱作業は、容易に実施し難い極めて厄介な作業である。このような事情より、既に市場に流通した手摺枠に対して任意に取付け可能な後付け式のＬ型幅木を容易に市場に提供し難く、建設現場等において任意に手摺枠に取付け又は手摺枠から取外すことが可能なＬ型幅木を建設現場等に供給することもできなかった。
【０００７】
本発明は、このような事情に鑑みてなされたものであり、その目的とするところは、Ｌ型幅木を手摺枠に取付ける取付け具の構造を簡素化し、これにより、比較的簡易又は簡便な作業で迅速に先行手摺の手摺枠に取付け又は該手摺枠から取外すのを可能にする先行手摺のＬ型幅木を提供することにある。
【課題を解決するための手段】
【０００８】
上記目的を達成すべく、本発明は、仮設足場の先行手摺を構成する外枠と、仮設足場の梁間方向又は腕木方向の横架材に係止する位置決め具と、前記外枠を仮設足場の支柱部分又は脚柱部分に一体的に連結する固定具とを有する手摺枠に取付けられ、仮設足場の幅木を形成するとともに、仮設床材の側縁に沿って形成される隙間帯域を閉塞するＬ型幅木であって、
前記手摺枠の構面に沿って仮設床材の床面と実質的に同等のレベルに配置される鉛直平板状の幅木本体と、該幅木本体の下縁部分に連接し、該下縁部分から前記仮設床材の側に延びる隙間閉塞板部分とを有するＬ型幅木において、
前記手摺枠の構面と平行なＬ型幅木の水平変位と、該構面の面外方向におけるＬ型幅木の水平変位とを拘束する一方、Ｌ型幅木の鉛直方向の変位を実質的に許容した状態で前記幅木本体を前記外枠の左右の鉛直支柱部分に係留する係留具と、
前記位置決め具に着座してＬ型幅木の鉛直荷重を少なくとも部分的に該位置決め具に伝達する前記幅木本体の下縁部分とを有し、
前記Ｌ型幅木の鉛直荷重を少なくとも部分的に前記位置決め具によって支持するようにしたことを特徴とするＬ型幅木を提供する。
【０００９】
本発明によれば、Ｌ型幅木の鉛直荷重（自重）の多くを手摺枠の位置決め具によって直に支持し、手摺枠の水平変位を係留具によって拘束し又は規制するようにＬ型幅木を構成することができる。このような構成によれば、Ｌ型幅木の荷重の伝達に起因した係留具の構造的負荷が軽減するので、係留具の構造を簡素化することができ、これにより、比較的簡易又は簡便な作業で迅速にＬ型幅木を先行手摺の手摺枠に取付け、或いは、先行手摺の手摺枠から取外し得るようにＬ型幅木を実施設計することが可能となる。
なお、「Ｌ型幅木の鉛直方向の変位を実質的に許容」する「係留」とは、手摺枠の輸送・搬送時等にＬ型幅木に過渡的に作用し得る比較的軽微な鉛直方向（鉛直支柱部分と平行な方向）の荷重に対しては、Ｌ型幅木の鉛直方向の相対変位を拘束又は禁止するが、手摺枠の使用時においては、Ｌ型幅木に作用し得る比較的大きな鉛直下向きの外力に対し、Ｌ型幅木の鉛直下方の変位を可能にするような拘束状態の係留を意味する（但し、Ｌ型幅木の幅木本体は、その下縁部分が手摺枠の位置決め金具に着座するので、鉛直下方のＬ型幅木の変位は、位置決め金具によって阻止される）。
【００１０】
本発明の好適な実施形態において、Ｌ型幅木は、手摺枠の中間部に配置された補剛材の手摺子部分に係止する係止具を更に有し、係止具は、上記構面と平行なＬ型幅木の水平変位を拘束するとともに、上記構面の面外方向のＬ型幅木の水平変位を拘束するように、手摺子部分の外面に当接する。
【００１１】
本発明の更に好適な実施形態によれば、係留具は、鉛直支柱部分が上下方向に貫通する被囲繞空間(S)を形成し、被囲繞空間は、上記構面の面外方向において鉛直支柱部分の直径と実質的に同じ寸法(奥行寸法T)を有し、鉛直支柱部分の外周面に当接するとともに、上記構面と平行且つ水平方向において鉛直支柱部分の直径の１．３倍以上、好ましくは、１．４倍以上の寸法（幅寸法W）を有する。好ましくは、係留具は、幅木本体の開口部に延入して幅木本体に係止する屈曲片又は舌状片と、連結具又は留め具によって幅木本体に固定される固定部と、屈曲片又は舌状片と固定部との間に延在し、被囲繞空間を画成する囲繞部と有する。
【００１２】
本発明の好ましい実施形態において、幅木本体は、幅木本体の下端縁に沿って延びる円形断面の溝を有し、隙間閉塞板部分は、この溝内に回転可能に収容された軸部を有し、軸部は、溝と同心状の円形断面を有し、実質的に隙間閉塞板部分の全長に亘って延びる。軸部は、溝の開口部分を介して隙間閉塞板部分の基端部に一体的に連結する。軸部は、溝の中心軸線廻りに溝内で回転し、構面に沿って起立する格納位置に隙間閉塞板部分を変位させる。
【発明の効果】
【００１３】
本発明の上記構成によれば、Ｌ型幅木の幅木本体を手摺枠に取付ける取付け具の構造を簡素化し、比較的簡易又は簡便な作業で迅速に先行手摺の手摺枠に取付け又は該手摺枠から取外すことが可能な先行手摺のＬ型幅木を提供することができる。
【図面の簡単な説明】
【００１４】
【図１】図１（Ａ）及び図１（Ｂ）は、本発明の好適な実施形態に係るＬ型幅木を備えた手摺枠の全体構成を示す平面図及び正面図である。
【図２】図２（Ａ）及び図２（Ｂ）は、図１に示す手摺枠の側面図及び斜視図である。
【図３】図３（Ａ）及び図３（Ｂ）は、Ｌ型幅木の構造を示す平面図及び正面図であり、図３（Ｃ）及び図３（Ｄ）は、幅木本体を手摺枠に取付けるための係留具及び係止具の構成を示す部分拡大平面図である。
【図４】図４（Ａ）及び図４（Ｂ）は、Ｌ型幅木の構造を示す側面図及び斜視図である。
【図５】図５（Ａ）及び図５（Ｂ）は、Ｌ型幅木を使用状態（拡開位置）で示す縦断面図及び部分拡大断面図であり、図５（Ｃ）及び図５（Ｄ）は、Ｌ型幅木を格納状態（折畳み位置）で示す縦断面図及び部分拡大断面図である。
【図６】図６（Ａ）、図６（Ｂ）及び図６（Ｃ）は、幅木本体の構造を示す正面図、Ｂ−Ｂ線部断面図及び部分拡大断面図である。
【図７】図７（Ａ）、図７（Ｂ）及び図７（Ｃ）は、隙間閉塞部の構造を示す正面図、縦断面図及び部分拡大断面図である。
【図８】図８（Ａ）は、保持具の構成を示す斜視図であり、図８（Ｂ）及び図８（Ｃ）は夫々、係止具及び係留具の構造を示す斜視図である。
【発明を実施するための形態】
【００１５】
以下、添付図面を参照して、本発明の好適な実施形態について詳細に説明する。 
【００１６】
図１（Ａ）、図１（Ｂ）、図２（Ａ）及び図２（Ｂ）は、本発明の好適な実施形態に係るＬ型幅木を備えた手摺枠の全体構成を示す平面図、正面図、側面図及び斜視図である。
【００１７】
手摺枠１は、外枠２、中桟４、下桟５及び補剛材６を一体的に組付けてなるアルミニウム製又はアルミニウム合金製（以下、「アルミ製」という。）の枠体又は骨組と、枠組足場の建枠（図示せず）に係止又は係合可能な固定金具７、位置決め金具８及び突当て金具（図示せず）とから構成される。固定金具７、位置決め金具８及び突当て金具は夫々、アルミ製部品からなり、外枠２の左右の鉛直支柱部分２ａに取付けられる。補剛材６は、左右の鉛直支柱部分２ａの間の中間部分に鉛直に配置された左右一対の手摺子部分６ａと、半円状又はＵ字状の上部補剛材部分６ｂとから構成される。手摺子部分６ａは、中桟４を支持する。手摺枠１は、従来の構成のものであり、位置決め金具８を建枠の横架材（図示せず）に係止した後、固定金具７を建枠の脚柱（図示せず）に固定し、しかる後、突当て金具を上層の建枠の脚柱（図示せず）に係合させることにより、枠組足場の骨組によって支持される。使用において、床付き布枠等の仮設床材（図示せず）が、作業通路又は作業足場を形成すべく、概ね位置決め金具８の高さ位置（レベル）に配置される。外枠２の手摺部分２ｂは、作業通路又は作業足場の手摺を構成すべく、仮設床材の床面から約９００mmの高さ位置に配置される。手摺枠１は、概ね位置決め金具８の高さ位置に配置されたＬ型幅木１０を有する。
【００１８】
図３（Ａ）、図３（Ｂ）、図４（Ａ）及び図４（Ｂ）は、Ｌ型幅木１０の構造を示す平面図、正面図、側面図及び斜視図である。図５（Ａ）及び図５（Ｂ）は、Ｌ型幅木１０を使用状態（拡開位置）で示す縦断面図及び部分拡大断面図であり、図５（Ｃ）及び図５（Ｄ）は、Ｌ型幅木１０を格納状態（折畳み位置）で示す縦断面図及び部分拡大断面図である。図６（Ａ）、図６（Ｂ）及び図６（Ｃ）は、幅木本体１１の構造を示す正面図、Ｂ−Ｂ線部断面図及び部分拡大断面図であり、図７（Ａ）、図７（Ｂ）及び図７（Ｃ）は、隙間閉塞部１２の構造を示す正面図、縦断面図及び部分拡大断面図である。
【００１９】
Ｌ型幅木１０は、手摺枠１の構面Ｘに沿って延びる幅木本体１１と、幅木本体１１の下端縁に回動可能に連接した隙間閉塞部１２とを有する。幅木本体１１及び隙間閉塞部１２は夫々、アルミ押出成形により一体成形されたアルミ製品からなる。隙間閉塞部１２は、前述の隙間閉塞板部分を構成し、幅木本体１１の下端縁に沿って延びる連接部１３から仮設床材（図示せず）の側に概ね水平に延び、或いは、若干下方に傾斜して延びる。Ｌ型幅木１０は、図１、図２及び図５（Ｃ）に示すように手摺枠１の構面Ｘに沿って延びる鉛直平板形態の格納状態（折畳み位置）と、図３、図４及び図５（Ａ）に示す如く幅木本体１１及び隙間閉塞部１２を概ね直角に連接した使用状態（拡開位置）とに変形する。
【００２０】
図５〜図７に示す如く、連接部１３は、幅木本体１１の下端縁に沿って延びる円形断面の溝１３ａと、溝１３ａ内に回転可能に収容された軸部１３ｂとから構成される。溝１３ａの中心軸線は布方向に水平に延びる。軸部１３ｂは、溝１３ａと概ね同心状の円形断面を有し、隙間閉塞部１２の全長に亘って延びる。軸部１３ｂは、溝１３ａの開口部分を介して隙間閉塞部１２の基端屈曲部分１２ａに一体的に連結する。軸部１３ｂは、溝１３ａの中心軸線廻りに溝１３ａ内で回転し、隙間閉塞部１２を使用状態（図５（Ａ））又は格納状態（図５（Ｃ））に変位させる。なお、軸部１３ｂの回動範囲や、使用状態及び格納状態における隙間閉塞部１２の角度は、溝１３ａ、軸部１３ｂ及び基端屈曲部分１２ａの断面形状等により規制される。
【００２１】
図１〜図４に示す如く、幅木本体１１の上縁中央部には、隙間閉塞部１２を格納状態（図５（Ｃ））に保持するための保持具４０と、幅木本体１１に固定され且つ保持具４０を回動可能に支持する回動軸４１とが配設される。図８（Ａ）は、保持具４０の斜視図である。図８（Ａ）には、回動軸４１の中心軸線のみが示されている。保持具４０は、回動軸４１の中心軸線を中心に回動可能な状態で幅木本体１１の中央上縁部に支持される。隙間閉塞部１２の外縁部は、図５（Ｃ）に示す折畳み位置において保持具４０によって保持される。他方、保持具４０を回動させて隙間閉塞部１２の外縁部を解放すると、隙間閉塞部１２は、その自重で下方に回動し、図３、図４及び図５（Ａ）に示す如く概ね直角に拡開する。
【００２２】
図３（Ｃ）及び図３（Ｄ）は、幅木本体１１を手摺枠１に取付けるための係止具５０及び係留具６０の構成を示す幅木本体１１の部分拡大平面図であり、図８（Ｂ）及び図８（Ｃ）は夫々、係止具５０及び係留具６０の構成を示す斜視図である。
【００２３】
図３（Ｃ）及び図３（Ｄ）に示すように、Ｌ型幅木１０は、アルミ製の係留具６０及び係止具５０によって鉛直支柱部分２ａ及び手摺子部分６ａに係留又は係止される。係留具６０は、ボルト・ナット組立体７０によって幅木本体１１に固定される。図６（Ａ）に示す如く、係留具６０及び係止具５０と係合する方形輪郭の開口部１５、１７、１８が、水平方向に列をなして幅木本体１１の高さ方向中央帯域に穿設されるとともに、ボルト・ナット組立体７０のボルト部分を挿通可能な円形開口部１６が幅木本体１１の両端部に穿孔される。左右一対の係留具６０は、図３（Ａ）に示すように、幅木本体１１の鉛直中心線（図示せず）に対して左右対称の構造を有し、左右一対の係止具５０は、同一の向きに配置され、実質的に同一の構造を有する。
【００２４】
図８（Ｂ）には、係止具５０の構造が示されている。係止具５０は、開口部１７、１８に挿入される係止部分５１及び段差部分５２と、湾曲面５４を備えた湾曲部５３とから構成される。図３（Ｄ）に示す如く、湾曲面５４を手摺子部分６ａの外周面に当接させることにより、手摺子部分６ａ、係止具５０及び幅木本体１１を相互連結することができる。なお、手摺子部分６ａは、約２８mmの直径（外径）を有する管材であり、湾曲面５４は、手摺子部分６ａの直径に相応する曲率で湾曲する。
【００２５】
図８（Ｃ）には、係留具６０の構造が示されている。係留具６０は、幅木本体１１の表面に当接する当接部６１と、開口部１５に挿入される屈曲舌状片６２と、手摺枠１の鉛直支柱部分２ａを囲繞する囲繞部６３と、ボルト挿通孔６５を備えた固定部６４とから構成される。図３（Ｃ）に示す如く、囲繞部６３によって鉛直支柱部分２ａを囲繞し、ボルト・ナット組立体７０のボルト部分をボルト挿通孔６５及び円形開口部１６（図６（Ａ））に挿通し、ボルト・ナット組立体７０を締付けることにより、鉛直支柱部分２ａ、係留具６０及び幅木本体１１を連結又は連接することができる。囲繞部６３は、鉛直支柱部分２ａの直径（外径）と実質的に同一の奥行寸法Ｔを有し、鉛直支柱部分２ａの直径の約１．５倍の幅寸法Ｗを有する被囲繞空間Ｓを形成する。なお、鉛直支柱部分２ａは、約３４mmの直径を有する管材である。
【００２６】
かくして、Ｌ型幅木１０は、係止具５０及び係留具６０によって鉛直支柱部分２ａ及び手摺子部分６ａに取付けられ、概ね一体化されるが、Ｌ型幅木１０は、鉛直支柱部分２ａ及び手摺子部分６ａに対する上下方向の相対変位を完全には拘束されておらず、Ｌ型幅木１０に作用する比較的大きい鉛直方向の外力によって下方に相対変位し得る状態で鉛直支柱部分２ａ及び手摺子部分６ａに支持又は支承されているにすぎない。このため、幅木本体１１の両端の下縁部分２０は、図１及び図２に示す如く、位置決め金具８の上面に着座し、従って、Ｌ型幅木１０の鉛直荷重（自重及び外力）は、実質的に位置決め金具８を介して建枠の横架材に伝達し、或いは、位置決め具８を介して鉛直支柱部分２ａ及び固定金具７に伝達し、この結果、建枠の脚柱によって支持される。
【００２７】
以上、本発明の好適な実施形態について詳細に説明したが、本発明は上記実施形態に限定されるものではなく、特許請求の範囲に記載された本発明の範囲内で種々の変形又は変更が可能である。
【００２８】
例えば、上記実施形態は、枠組足場の先行手摺に取付けられるＬ型幅木に関するものであるが、本発明は、単管足場等の他の形式の足場に設けられる先行手摺のＬ型幅木に対しても同様に適用し得るものである。
【００２９】
また、Ｌ型幅木の各部構造については、本発明に適合する限りにおいて、従来の任意の形態、寸法又は設計を適宜採用することができ、また、幅木本体及び隙間閉塞部は、アルミ押出形材に限定されるものではなく、他の金属の成形品であっても良く、曲げ成形等の成形法により製作された部品であっても良い。
【産業上の利用可能性】
【００３０】
本発明は、先行手摺のＬ型幅木に適用される。殊に、本発明は、外枠、位置決め具及び固定具を有する手摺枠に取付けられ、仮設足場の仮設床材の側縁に沿って形成される隙間帯域を閉塞するＬ型幅木に適用される。本発明によれば、既に市場に流通した先行手摺の手摺枠、或いは、既に建設現場等で実用に供されている先行手摺の手摺枠に対して、比較的簡易又は簡便の作業で迅速に取付け又は取外し可能な後付け式のＬ型幅木を実用化することができるので、その実用的価値は、顕著である。
【符号の説明】
【００３１】
１  手摺枠
２  外枠
２ａ  鉛直支柱部分
４  中桟
５  下桟
６  補剛材
６ａ  手摺子部分
７  固定金具
８  位置決め金具
１０  Ｌ型幅木
１１  幅木本体
１２  隙間閉塞部
１２ａ  基端屈曲部分
１３  連接部
１３ａ  溝
１３ｂ  軸部
１５、１７、１８  開口部
１６  ボルト孔
２０  下縁部分
４０  保持具
５０  係止具
６０  係留具
６２  屈曲舌状片
６３  囲繞部
６４  固定部
７０  ボルト・ナット組立体
Ｘ  構面
Ｓ  被囲繞空間
Ｔ  奥行寸法
Ｗ  幅寸法
【図１】
2020190111.tif 000003
【図２】
2020190111.tif 000004
【図３】
2020190111.tif 000005
【図４】
2020190111.tif 000006
【図５】
2020190111.tif 000007
【図６】
2020190111.tif 000008
【図７】
2020190111.tif 000009
【図８】
2020190111.tif 000010